(57)【要約】【課題】原稿移動読取方式による読取機能を有する画像読取装置として、その装置の筐体の内部に塵埃等を浸入させることなく、光源から発せられる熱を筐体の外部に簡易に排出させ、もって読取ガラスの温度上昇を抑制して読取画像の品質低下を防止することができる像読取装置を提供する。【解決手段】原稿移動読取方式による読取に使用する読取ガラス１２に接触又は近接させた状態で配置され、その読取ガラスの表面よりも突出して筐体１０の外部側に露出する部位と当該筐体の内部側に露出する部位を有するとともに、その突出した部位のうち当該読取ガラスを通過する前又は通過した後の原稿と対向する面部（１３ａ）以外の面部（１３ｃ）に開口される第１開口部４と当該筐体の内部に露出する部位に開口される第２開口部５とを連通させる通気路６を有する排熱部材３を設けた。【選択図】図２
2007295467.tif 000002
【特許請求の範囲】
【請求項１】
筐体と、この筐体に開設される開口部に設置され、読取対象の原稿が搬送されて通過する板状の読取ガラスと、この読取ガラスを通過する原稿を照明するための光を前記筐体の内部側における一定の位置から発する光源と、この光源から発せられる光のうち前記原稿で反射されて前記筐体の内部側に戻る反射光を受光する受光装置とを有する画像読取装置であって、
前記読取ガラスに接触又は近接させた状態で配置され、当該読取ガラスの表面よりも突出して前記筐体の外部側に露出する部位と当該筐体の内部側に露出する部位を有するとともに、その突出した部位のうち当該読取ガラスを通過する前又は通過した後の原稿と対向する面部以外の面部に開口される第１開口部と当該筐体の内部に露出する部位に開口される第２開口部とを連通させる通気路を有する排熱部材を設けたことを特徴とする画像読取装置。
【請求項２】
前記排熱部材の通気路が、前記読取ガラスの表面と平行する方向又は交差する傾斜した方向に延びる部位を有している請求項１に記載の画像読取装置。
【請求項３】
前記排熱部材の通気路が、下降した後に再び上昇するように曲がった部位又は途中で陥没した部位を有している請求項１又は２に記載の画像読取装置。
【請求項４】
前記排熱部材の第１開口部及び第２開口部の一方又はその双方に、防塵用のフィルターを設けた請求項１乃至３のいずれかに記載の画像読取装置。
【請求項５】
前記排熱部材の第２開口部に、その開口部を塞ぐような状態で放熱性部材を設けた請求項１に記載の画像読取装置。
【請求項６】
前記排熱部材の通気路のうち前記放熱性部材よりも第１開口部側寄りの部位に、その放熱性部材を覆う通気性の覆い部材を設けた請求項５に記載の画像読取装置。
【請求項７】
前記排熱部材の通気路と前記読取ガラスとの間に、断熱用の空間を形成するか又は断熱性部材を介在させる請求項５又は６に記載の画像読取装置。
【請求項８】
前記光源を前記筐体の内部において前記読取ガラスの下方の位置まで移動するように走行する走行体に搭載し、
かつ、その走行体に放熱性部材を搭載するとともに、その放熱性部材を、当該走行体が当該読取ガラスを利用した読み取り時に当該ガラスの下方の位置で停止固定される際に前記排熱部材の放熱性部材の下方の位置に存在させるように配置している請求項５乃至７のいずれかに記載の画像読取装置。
【請求項９】
前記排熱部材が、前記読取ガラスを通過した直後の原稿を案内する案内部材である請求項１乃至８のいずれかに記載の画像読取装置。
【発明の詳細な説明】
【技術分野】
【０００１】
本発明は、原稿の画像を読み取る画像読取装置に関するものであり、単体として使用することができるほか、特に原稿から読み取った画像情報を利用する複写機、複合機等の画像形成装置における画像読取部として使用することができる画像読取装置に関するものである。
【背景技術】
【０００２】
画像読取装置としては、その読み取り対象となる原稿を原稿台としての読取ガラスに載置して固定させた状態でその原稿の画像を読み取る、いわゆる「原稿固定読取方式」に加えて、その原稿を自動原稿送り装置等により読取ガラスを通過させるように搬送して移動させながらの状態でその原稿の画像を読み取る、いわゆる「原稿移動読取方式」を採用するものがある。
【０００３】
上記原稿固定読取方式は、例えば、画像読取装置の筐体の開口部に設置される読取ガラスの下方においてそのガラス面と平行した状態で往復移動するように走行する走行体を設けるとともにその走行体に原稿を照明するための光源等を搭載し、その走行体を読取ガラスの下方で往復移動させるとともにその光源により読取ガラス上に載置された原稿を照明することで、その載置された原稿からの反射光を最終的にイメージセンサに導いて結像させるものである。一方、上記原稿移動読取方式は、例えば、その光源等を搭載する走行体を筐体の開口部に設置される共通の又は別体の読取ガラスの下方側における読取位置に停止させて固定し、その読取ガラスを通過するように搬送される原稿を光源により照明することで、その移動する原稿からの反射光を最終的にイメージセンサに導いて結像させるものである。
【０００４】
なお、画像読取装置としては、原稿移動読取方式のみを採用するタイプのものもある。また、その原稿移動読取方式についても、走行体を使用することなく、光源やイメージセンサ等が筐体内部の所定の読取位置に完全に固定設置されているものがある。
【０００５】
ところが、原稿移動読取方式による画像読取を行う場合には、光源（ランプ等）が読取ガラス等の周辺部品の同一の箇所を照明するため、その光源から発せられる熱等により読取ガラスやその周辺部分が加熱されて温度が上昇し、その周囲の温度も上昇してしまうという問題がある。
【０００６】
例えば、読取ガラスの表面温度が高くなると、その読取ガラスの周囲に配置される部品が歪んで、原稿の搬送に支障をきたすことがある。また、光源からの熱により読取ガラスが集中的に加熱されると、熱の集中により読取ガラス自体が割れるおそれもある。さらに、光源の自己発熱による温度上昇で光源自体が破損するおそれもある。
【０００７】
このような問題を解消するため、従来においても、光源を備えた走行体を固定して原稿の画像を読み取る画像読取装置として、その走行体の固定位置の近傍に設けられた外装ケースに放熱用の孔を設けるように構成したものが知られている（特許文献１）。
【特許文献１】実開平３−６６２６３号公報
【発明の開示】
【発明が解決しようとする課題】
【０００８】
しかしながら、この従来の画像読取装置にあっては、その外装ケースに設ける放熱用の孔を通して装置外部から装置内部に塵埃や紙粉が浸入しやすくなり、その浸入した塵埃等が反射ミラー等の光学部品に付着すると、読み取った画像にその塵埃等の付着位置に対応したようなスジ状等の画像ノイズが入ってしまい、読取画像の画質が劣化するという問題がある。
【０００９】
本発明は、このような問題点に鑑みてなされたものであり、上記したような原稿移動読取方式による読取機能を有する画像読取装置として、主に原稿移動読取方式による読み取り時において、その装置の筐体の内部に塵埃等を浸入させることなく、光源から発せられる熱を筐体の外部に簡易に排出させ、もって読取ガラスの温度上昇を抑制して読取画像の品質低下を防止することができる画像読取装置を提供するものである。
【課題を解決するための手段】
【００１０】
本発明の画像読取装置は、筐体と、この筐体に開設される開口部に設置され、読取対象の原稿が搬送されて通過する板状の読取ガラスと、この読取ガラスを通過する原稿を照明するための光を前記筐体の内部側における一定の位置から発する光源と、この光源から発せられる光のうち前記原稿で反射されて前記筐体の内部側に戻る反射光を受光する受光装置とを有する画像読取装置であって、前記読取ガラスに接触又は近接させた状態で配置され、当該読取ガラスの表面よりも突出して前記筐体の外部側に露出する部位と当該筐体の内部側に露出する部位を有するとともに、その突出した部位のうち当該読取ガラスを通過する前又は通過した後の原稿と対向する面部以外の面部に開口される第１開口部と当該筐体の内部に露出する部位に開口される第２開口部とを連通させる通気路を有する排熱部材を設けたことを特徴とするものである。
【００１１】
上記光源は、原稿を照明するための光を発することができ、その発光動作時に熱を外部に放出するものであれば適用可能である。上記受光装置は、原稿からの反射光を最終的に読取画像の情報として受光する機能を有するものであればよく、例えば、受光素子（イメージセンサなどを含む）とその受光素子に原稿からの反射光を導くための反射ミラー、レンズ等の光学部品などで構成されるものである。
【００１２】
この光源と受光装置については、通常、その光源が読取ガラスの下方を往復移動するように走行する走行体に搭載され、その受光装置が一定の位置に固定設置されるように構成すればよいが、これに限定されず、例えば、その光源と受光装置の双方を走行体に搭載するように構成したり、あるいは、その光源と受光装置の双方を一定の位置（読取位置）に固定設置するように構成してもよい。原稿の搬送は、例えば、読取ガラスを通過させるように原稿を自動的に搬送する機能を備えた自動原稿送り装置により行われる。
【００１３】
また、上記排熱部材は、読取ガラスを利用した原稿の読み取り（原稿移動読取）時に筐体の内部側における一定の位置にある光源から発せられる熱をその筐体の外部に効率よくかつむらなく排出させる等の観点からすると、読取ガラスのうち原稿の搬送方向上流側となる端部又はその下流側となる端部又はその双方において原稿の搬送方向と直交する方向の（読取ガラスの上記端部）全域にわたって設置することが望ましい。この設置に関しては、読取ガラスの画像読取のための光が通過する領域を除いた部位に設置することや、読取ガラスを通過する原稿の搬送の障害とならない状態で設置することは言うまでもない。
【００１４】
さらに、排熱部材の第１開口部が形成される面部は、突出した部位のうち読取ガラスを通過する前又は通過した後の原稿と対向する面部以外の面部であるが、その形態は、主に、読取ガラスの表面とほぼ直交するような関係になる垂直面や、原稿と対向する面部とは異なる方向に傾く傾斜面である。これにより、第１開口部は、読取ガラスと平行する面部に開口するように形成される開口部に比べて、浮遊して自然落下するような塵埃や紙粉が浸入しにくくなる。
【００１５】
上記排熱部材の通気路については、前記読取ガラスの表面と平行する方向又は交差する傾斜した方向に延びる部位を有しているものであることが好ましい。この場合は、仮に第１開口部から塵埃や紙粉が浸入しても、その塵埃や紙粉がその通気路の平行する方向や傾斜した方向に延びる部位において落下して滞留しやすくなる。この結果、その塵埃や紙粉がその通気路を単純に通過して第２開口部から筐体の内部側に落下してしまうことが抑制されるようになる。
【００１６】
また、上記排熱部材の通気路については、下降した後に再び上昇するように曲がった部位又は途中で陥没した部位を有しているものであることが好ましい。この場合は、仮に第１開口部から塵埃や紙粉が浸入しても、その塵埃や紙粉がその通気路に存在する曲がった部位や陥没した部位に落下して溜まるようになる。この結果、その塵埃や紙粉がその通気路を単純に通過して第２開口部から筐体の内部側に落下してしまうことが抑制されるようになる。
【００１７】
また、上記排熱部材においては、前記第１開口部及び第２開口部の一方又はその双方に、防塵用のフィルターを設けることができる。この防塵用のフィルターは、熱（空気）の排出のための流れを阻害しない程度の通気性を有するものが好ましく、例えば、メッシュ状のフィルターなどが使用される。この場合は、第１開口部から通気路に入り込もうとする又はその通気路に既に張り込んだ塵埃や紙粉が第１開口部や第２開口部にある防塵用のフィルターにより捕獲されるようになり、このため通気路を通過して最終的に筐体の内部側に落下してしまうことが防止されるようになる。
【００１８】
一方、上記排熱部材においては、第２開口部に、その開口部を塞ぐような状態で放熱性部材を設けるように構成してもよい。放熱性部材は、第２開口部を塞ぐ形態からなるとともに、前記した原稿移動読取時に光源から発せられる熱を受け取って熱伝導により放出する放熱機能を有するものであればよい。このような放熱性部材としては、ヒートシンク、放熱シート、放熱板等が挙げられる。この放熱性部材を設けた場合は、仮に塵埃や紙粉が第１開口部から通気路内に浸入したとしても、その第２開口部を塞ぐ状態で存在する放熱性部材より捕獲されて筐体の内部側に入ってしまうことが防止される。しかも、原稿移動読取時に光源から発せられる熱が放熱性部材を通して通気路側に移動させられて排出されるようになる。
【００１９】
また、放熱性部材を設けた排熱部材においては、その通気路のうち当該放熱性部材よりも第１開口部側寄りの部位に、その放熱性部材を覆う通気性の覆い部材を設けることができる。覆い部材における通気性は、放熱性部材から放出される熱（空気）が通気路を通して第１開口部から放出されるように流れることを阻止しないようにするためのものである。この通気性の覆い部材を設けた場合には、利用者が指などを第１開口部及び通気路を通して差し入れることができるときに、高温状態になっている放熱性部材に誤って直接触れてしまう危険性が覆い部材の存在によって回避されるようになる。
【００２０】
また、放熱性部材を設けた排熱部材においては、その排熱部材の通気路と前記読取ガラスとの間に、断熱用の空間を形成するか又は断熱性部材を介在させるようにするとよい。この場合は、原稿移動読取時に光源から発せられる熱を受け取って高温の状態になる放熱性部材から放出される熱がその断熱性の空間又は断熱性部材により遮断されて読取ガラス側に伝わることが抑制され、読取ガラスの温度上昇を防止することができる。
【００２１】
さらに、放熱性部材を設けた排熱部材においては、前記光源を前記筐体の内部において前記読取ガラスの下方の位置まで移動するように走行する走行体に搭載し、かつ、その走行体に放熱性部材を搭載するとともに、その放熱性部材を、当該走行体が当該読取ガラスを利用した読取時に当該ガラスの下方の位置で停止固定される際に前記排熱部材の放熱性部材の下方の位置に存在させるように配置することが好ましい。走行体に搭載する放熱性部材は、排熱部材の第２開口部に設ける放熱性部材と同じであっても、あるいは、異なるものであってもよい。このように構成した場合は、その読取時に光源から発せられる熱等を受け取ることにより走行体上の放熱性部材から放出される熱（空気）が、その上方の位置となる第２開口部に設けられた放熱性部材に効率よく受け止められ、最終的に排熱部材の通気路を通して筐体の外部に排出されやすくなる。
【００２２】
以上のような各排熱部材としては、前記読取ガラスを通過した直後の原稿を案内する案内部材であることが好ましい。この場合は、排熱部材を既存の案内部材によって構成することができ、排熱部材を新たな部品として追加して設ける場合に比べて、排熱部材を容易に設置することが可能になり、新たな設置スペースを確保する必要がなく装置の大型化を阻止することも可能になる。
【発明の効果】
【００２３】
この画像読取装置においては、読取ガラスを通過するように搬送される原稿を筐体の内部の一定の位置にある光源により照明し、その移動する原稿からの反射光を最終的に受光装置に受光させて原稿の画像を読み取る際（原稿移動読取の場合）に、その光源からの照明によりその光源の周囲となる筐体の内部空間が加熱されて温度上昇し始めるようになる。しかし、その読み取り時に筐体の内部空間等に存在する熱は、その筐体の内部側に存在する排熱部材の第２開口部から浸入した後に通気路を経由して最終的に第１開口部から筐体の外部に放出される。これにより、上記読み取り時における光源の周囲となる筐体の内部の温度が上昇することや読取ガラスが加熱されることが抑制されるようになる。
【００２４】
また、この画像読取装置では、その排熱部材の第１開口部が読取ガラスを通過する前又は通過した後の原稿と対向する面部以外の面部に形成されるため、その第１開口部からは原稿に付着する塵埃や紙粉が浸入しにくく、しかも、浮遊して自然落下する塵埃や紙粉も浸入しにくい。これにより、第１開口部から浸入して通気路を通して第２開口部から筐体の内部に入り込んでしまう塵埃や紙粉が発生しにくくなるため、そのような塵埃や紙粉が筐体の内部に侵入して受光装置などに付着することなどによって読取画像に悪影響を及ぼすという不具合の発生も抑制されるようになる。
【００２５】
従って、この画像読取装置によれば、いわゆる原稿移動読取方式による読み取り時における読取ガラスの温度上昇を抑制することができ、そのときの読取画像の品質が低下することを防止できるようになる。
【発明を実施するための最良の形態】
【００２６】
[実施の形態１]
図１は、本発明の実施形態１に係る画像読取装置１とこれと組み合わせて使用する自動原稿送り装置５を示す概要図である。この実施形態１に係る画像読取装置は、原稿固定読取方式による読取機能（原稿固定読取モード）と原稿移動読取方式による読取機能（原稿移動読取モード）を兼ね備えたものであり、また、デジタル複写機の画像読取部として用いられたりあるいは単独のスキャナなどとして用いられるタイプのものである。
【００２７】
画像読取装置１は、上面部側が開口した箱状の筐体１０を有し、この筐体１０の当該上面開口部に原稿２をその原稿面を下面にして載せる原稿台としてのプラテンガラス１１と原稿送り装置５から搬送されるシート状の原稿２が通過させられる読取ガラス１２とが間隔をあけて設けられている。プラテンガラス１１と読取ガラス１２との間には、読取ガラス１２を通過した後の原稿２（の先端部）を上方側に掬い上げるように案内する上昇傾斜面１３ａが形成されたガイド板１３が取り付けられている（図２）。プラテンガラス１１と読取ガラス１２はいずれも、平面形状が長方形からなる平板状のガラスである。
【００２８】
そして、この画像読取装置１は、主に、プラテンガラス１１の下方となる筐体１０の内部空間に、縮小結像光学系を構成する第１のキャリッジ２０及び第２のキャリッジ２５と、原稿２の画像情報を最終的に読み取る読取ユニット３０と、キャリッジ２０，２５を往復移動させる図示しないキャリッジ駆動機構とが設置されている。
【００２９】
このうち筐体１０は、４面（側面）からなる外枠フレームと、この外枠フレームの上部側に設置されるとともに上記上面開口部が形成される天板フレームと、外枠フレームの下部に設置される底面フレームとで主に構成されている。各外枠フレームの全部及び天板フレームの一部には、最終的に図示しない外装カバーが装着されている。
【００３０】
第１のキャリッジ２０は、筐体１０の内部においてプラテンガラス１１及び読取ガラス１２の面と平行する読取走査方向（副走査方向）Ｘに沿って設置される図示しない第１スライドレール上を移動速度と同じ速度で往復移動するフルレートの走行体である。このキャリッジ２０には、原稿２の原稿面を照明するための光を発する光源であるランプ（ハロゲンランプ、蛍光ランプなど）２１と、このランプ２１により照明された原稿２からの反射光Ｈ（図中の点線Ｈはその光軸を示している）を第２のキャリッジ２５側に反射させる反射ミラー２２等が搭載されている。
【００３１】
第２のキャリッジ２５は、筐体１０の内部において読取走査方向Ｘに沿って設置される図示しない第２スライドレール上を第１キャリッジ２０の移動と連動して同じ読取走査方向に１／２の速度で往復移動するハーフレートの走行体である。このキャリッジ２５には、上記反射ミラー２２で反射させた原稿２からの反射光Ｈを読取ユニット３０側へと反射して導く２つの反射ミラー２６、２７が搭載されている。ちなみに、２つのキャリッジ２０，２５における移動速度及び移動領域を異ならせているのは、原稿２と読取ユニット３０との間の光路長を常に一定に保つためである。
【００３２】
読取ユニット３０は、筐体１０の底面側となる所定位置（キャリッジ２０，２５の往復移動時の往路から復路への折り返し位置の近傍位置）に、第２のキャリッジ２５における反射ミラー２６、２７で反射された原稿からの反射光Ｈを結像させる結像レンズ３２と、この結像レンズ３２で結像させた原稿からの反射光Ｈを光電変換して読み取るラインＣＣＤ（Charge Coupled Device）センサ等の撮像素子３３とが取り付けられている。このうち、撮像素子３３は、これを駆動する回路基板３５に実装されており、その回路基板３５が図示されていないブラケット等を介して筐体１０に固定されている。また、この読取ユニット３０は、その読取光学系部品である結像レンズ３２の一部と撮像素子３３が図示しない遮光カバーで覆われている。
【００３３】
キャリッジ駆動機構としては、例えば、読取走査方向Ｘの両側に配する２本のワイヤを使用し、その各ワイヤを筐体１０やキャリッジ２０，２５やプーリなどに適宜固定又は架け回してモータの駆動力で所定の方向に移動させることでキャリッジ２０，２５を所定の方向及び速度でスライドレール上を走行させる公知のワイヤ駆動機構などが採用されている。
【００３４】
また、このキャリッジ駆動機構は、原稿固定読取モード時には、第１のキャリッジ２０をプラテンガラス１１の下方において読取走査方向Ｘに沿って往復移動（Ｘ１は往路時の移動方向、Ｘ２は復路時の移動方向である）させるようになっている。図１において符号Ｐ２は、この読取モード時における読取開始位置を示し、これは第１のキャリッジの反射ミラー２２がプラテンガラス１１の読取ガラス１２側となる一端部の直下にあるときの位置である。また、符号Ｐ３は、原稿固定読取モード時における最大サイズ原稿２の読取終了位置を示し、これは第１のキャリッジの反射ミラー２２がプラテンガラス１１の他端部の直下にあるときの位置である。一方、このキャリッジ駆動機構は、原稿移動読取モード時には、図１に示すように、第１のキャリッジ２０をその反射ミラー２２が読取ガラス１２の直下で停止する位置（原稿移動読取位置）Ｐ１まで移動させて停止固定させるようになっている。
【００３５】
一方、自動原稿送り装置５は、読み取り対象となる原稿２を収容するとともに供給する原稿供給収容部５１と、この原稿供給収容部５１から供給される原稿２を読取ガラス１２等の所定の部位を通過するように搬送する原稿搬送部５４と、読み取りが終了した原稿２を排出して収容する原稿排出収容部５８とを主に備えている。この自動原稿送り装置５は、画像読取装置１の上面部においてプラテンガラス１１及び読取ガラス１２の面を開放したり塞ぐように開閉動し得るように取り付けられており、例えばプラテンガラス１１上に原稿２を載置したりそれを取り去る際に開けた状態にされる一方で、原稿の読取時には閉じた状態にされる。
【００３６】
原稿供給収容部５１は、原稿２を複数枚積載して収容する収容トレイ５２と、この収容トレイ５２上の原稿２を１枚ずつ送り出す送出装置５３とで構成されている。
【００３７】
原稿搬送部５４は、収容トレイ５２から送出装置５３により送り出された原稿２を読取ガラス１２に通過させるように搬送する主搬送路と原稿２の両面（第２面）の読取時に原稿２の表裏面を反転させる反転搬送路とが形成されており、その主搬送路と反転搬送路は複数の搬送ロール対５５ａ，５５ｂ，５５ｃ，５５ｄ，５５ｅと図示しない搬送ガイドや搬送先切替え部材などで構成されている。搬送ロール対５５ｂは、原稿２を一旦停止させた後に読取ガラス１２側に送り出すレジストロール対であり、搬送ロール対５５ｄは原稿排出及び逆送用のロール対であり正逆方向に回転するものであり、搬送ロール５５ｅは片面の読取が終了した原稿２が排出用ロール対５５ｄにより逆送されたときにその原稿２を反転搬送路を通して主搬送路の搬送ロール対５５ａの手前位置まで送る反転搬送用のロール対である。また、原稿搬送部５４の読取ガラス１２の表面と対向する位置には、そのガラス表面に原稿２を接触または近接させるように保持する原稿保持ロール５６が設けられている。
【００３８】
原稿排出収容部５８は、原稿搬送部５４から排出される読取後の原稿２を積載した状態で収容する収容面を有するものである。この原稿排出収容部５８の裏面側は、自動原稿送り装置５を閉じたときに、プラテンガラス１１に載置した原稿２を押さえる原稿押さえ部として形成されている。
【００３９】
また、この画像読取装置１は、原稿移動読取モード時における筐体１０の内部や読取ガラス１２等の温度上昇を防止するため、図２〜図４に示すように、その読取ガラス１２の長辺方向（原稿２の搬送方向Ｅと直行する方向）の一端部に接触した状態で設置されている前記ガイド板１３を放熱部材３として構成している。図２における符号１５は、筐体１０に取り付けられる外装カバーの一部である。
【００４０】
この放熱部材３としてのガイド板１３は、読取ガラス１２の表面１２ａから原稿搬送方向Ｅの下流側にむけて所定の割合（角度等）で上昇する傾斜面として形成された原稿案内面１３ａを備えているとともに、プラテンガラス１１の上面に一部存在するように突出して形成された原稿位置決めガイド部１３ｂを備えている。また、このガイド板１３は、その下部側が筐体１０の内部に露出した状態で筐体１０の開口部に取り付けられている。
【００４１】
そして、この放熱部材３としてのガイド板１３は、その読取ガラス１２の表面１２ａよりも筐体１０の外部側に露出する部位（上面部１３Ａ）のうち原稿案内面１３ａ以外の面部（読取ガラス面に対して垂直の方向にそり立つような側面部）１３ｃに排気口４が開設され、また、その筐体１０の内部に露出する部位（下面部）１３ｄに取入れ口５が開設され、さらに、そのガイド板本体に排気口４と取入れ口５とを互いに連通させる通気路６が形成されている。
【００４２】
排気口４は、図４に示すように、ガイド板の側面部１３ｄにそのガイド板の長手方向に間隔をあけて点在するように複数個形成されている。排気口４については、連続した細長い１つの開口部として形成してもよい。取入れ口５は、図３に示すように、ガイド板の下面部１３ｄにそのガイド板の長手方向に長いスリット状の形状となるように形成されている。通気路６は、図２に示すように、排気口４から一旦下降した方向に延びてから再び上昇した方向に延びた後に、最後に取入れ口５に向けて再び下降する方向に延びるような経路となるように形成されている。特に、この通気路６は、下降した後に再び上昇するように曲がった部位６ａを有している点に特徴がある。しかも、この通気路２は、読取ガラス１２の表面１２ａと平行する方向に延びる部位（曲がった部位６ａの下降した底部も含む）を有している。また、この通気路６は、取入れ口５の長手方向の幅と同じ幅で排気口４のある側に延びており、最後に複数の排気口４のすべてと連通するように接続されている。
【００４３】
このような放熱部材３としてのガイド板１３は、アクリロニトリル・ブタジエンスチレン（ＡＢＳ）樹脂等の合成樹脂を用いて形成されている。また、このガイド板１３は、例えば、図２に示す点線と通気路６の上面の線とで結ばれる境界部を境に上部板と下部板とに分割され、その分割された上部板及び下部板をそれぞれ所定のプラスチック成形法にて形成した後、それらを接合して一体化させることにより製作される。
【００４４】
次に、このような構成からなる画像読取装置１等の各動作について説明する。
【００４５】
初めに原稿固定読取モードが選択されたときの動作について説明すると、まず原稿送り装置５を開けた状態にした後のプラテンガラス１１上に読み取り対象となる原稿２をその原稿面が下方にむいた状態で載置して原稿送り装置５を閉じた状態にする。しかる後、読取開始指示を所定の操作部等から出すと、第１のキャリッジ２０及び第２のキャリッジ２５が駆動機構により読取走査方向の往路方向Ｘ１に移動し始め、プラテンガラス１１の下方を一定の移動速度で移動走行する。この移動時に原稿２の原稿面が移動するランプ２１によって照明されることにより読取走査方向Ｘと直交する主走査方向の走査がなされるとともに、第１キャリッジ２０が読取走査方向Ｘ１に往動することにより副走査方向の走査がなされる。
【００４６】
この走査が行われる際に、照明された原稿２からの反射光Ｈが、移動する各ミラー２２、２６、２７をこの順に経由して結像レンズ３２に入射された後、その結像レンズ３２により撮像素子３３の撮像面に結像され、これによって原稿２の画像情報が電気的に読み取られる。この撮像素子３３で読み取られた原稿の画像情報（電気信号）は、その回路基板３５を通して例えば複写機本体側の画像処理部に送信される。この原稿２に対する往路の走査が終了すると、駆動機構により第１のキャリッジ２０等が一旦停止した後に復路となる移動方向Ｘ２に折り返すように移動走行して戻される。以上のようにして、原稿固定読取モードによる画像読み取りが実行される。
【００４７】
一方、原稿移動読取モードが選択されたときの動作について説明する。
【００４８】
まず、自動原稿送り装置５の原稿供給収容部５１に読み取り対象となる原稿２をセットした後、読取開始指示を出すと、第１のキャリッジ２０等が駆動機構により読取位置Ｐ１まで移動して停止する一方、自動原稿送り装置５により原稿２が１枚ずつ読取ガラス１２を通過するように搬送される。このとき、読取ガラス１２を通過する原稿２の原稿面が一定の位置にあるランプ２１により照明される読取走査方向Ｘと直交する主走査方向の走査がなされるとともに、原稿２が搬送移動方向Ｅに一定の速度で移動することにより副走査方向の走査がなされる。また、読取ガラス１２を通過した後の原稿２の先端部は、その進行方向がガイド板１３の原稿案内面１３ａによって案内される。
【００４９】
この際、照明された原稿２からの反射光Ｈが、一定の位置にある各ミラー２２、２６、２７をこの順に経由して結像レンズ３２に入射された後、原稿移動読取モードの場合と同様に、その結像レンズ３２により撮像素子３３の撮像面に結像され、これによって原稿２の画像情報が電気的に読み取られる。この撮像素子３３で読み取られた原稿の画像情報（電気信号）は、その回路基板３５を通して例えば複写機本体側の画像処理部に送信される。この読み取り対象の原稿２が読取ガラス１２を通過し終わると、引き続いて後続の原稿２が読取ガラス１２を通過するように搬送される。以上のようにして、原稿移動読取モードによる画像読み取りが行われる。
【００５０】
そして、このような原稿移動読取モードを備えた画像読取装置１では、その原稿移動読取モードによる画像読み取りが実行される際、図１や図２に示すように、第１キャリッジ２０に搭載されたランプ２１が読取ガラス１２等の同一の箇所を照明するため、その読取ガラス１２やその周辺部分（筐体１０の内部を含む）が加熱されて温度が上昇し始める。
【００５１】
これに対し、この画像読取装置１においては、そのランプ２１等から発せられる熱（高温の空気）が、そのランプ２１の近傍にある排熱部材３としてのガイド板１３の取入れ口５に浸入した後、通気路６を通して筐体１０の外部（外部はその内部側よりも低温の状態にある）につながっている排気口４にむけて流れ、最後にその排気口４から筐体１０の外部に排出される。
【００５２】
このようにして、原稿移動読取モードによる画像読み取り時においても、そのランプ２１付近の温度上昇が排熱部材３の存在によって抑制されるため読取ガラス１２の温度上昇なども抑制されるようになる。このため、読取ガラス１２の温度上昇に起因してその周囲に配置される部品（ガイド板１３など）が歪んで、原稿２の搬送に支障をきたすことがある等の不具合が発生することが防止される。
【００５３】
また、この画像読取装置１では、その排熱部材３の排気部４が読取ガラス１２を通過した後の原稿２と対向する原稿案内面部１３ａ以外の側面部１３ｄに形成されるため、その原稿案内面１３ａなどに形成される開口部に比べて、その排気部４からは原稿２に付着する塵埃や紙粉が浸入しにくく、しかも、浮遊して自然落下する塵埃や紙粉も浸入しにくい。これにより、排気部４から浸入して通気路６を通して取入れ口５から筐体１０の内部に入り込んでしまう塵埃や紙粉が発生しにくくなる。しかも、排熱部材３の通気路６は、上記したような下降した後に上昇するように曲がった通路部位６ａを有しているため、たとえ排気口４から塵埃や紙粉が落下して入り込んだとしても、その曲がった通路部位６ａにおいて着地して溜まって、それ以上は通気路６を進まなくなる。この結果、塵埃や紙粉が最終的に筐体１０の内部に侵入して反射ミラー２２，２６，２７等に付着することなどによって読取画像にスジが発生する等の悪影響を及ぼすようなおそれもない。
【００５４】
従って、この画像読取装置１によれば、原稿移動読取モードによる読み取り時における筐体１０の内部や読取ガラス１２の温度上昇を抑制することができ、そのときの読取画像の品質が低下することを防止した良好な読取を行うことができる。
【００５５】
＜実施の形態１の変形例＞
実施の形態１における排熱部材３としてのガイド板１３の通気路６については、図５に示すように、読取ガラス１２の表面１２ａと交差するような角度で傾斜した方向に延びるような部位（傾斜通路部）６ｂを有するような形態に形成することもできる。
【００５６】
このような傾斜通路部６ｂを有する通気路６とした場合には、かりに排気口４から塵埃等が浸入したときでも、その塵埃等がその傾斜通路部６ｂの途上で落下して溜まるようになり、それ以上は通気路６を進まず、最終的に筐体１０の内部に侵入してしまうことを抑制することができる。また、排熱部材３においては、塵埃等の筐体１０の内部への侵入を防止する観点から、図５に例示するように、その取入れ口５に浸入した塵埃等を捕獲する防塵用のフィルター７を設けてもよい。このフィルター７は、取入れ口５に代えて排気口４に設けたり、あるいは取入れ口５と排気口４の双方に設けるようにしてもよい。
【００５７】
また、実施の形態１では、排熱部材３を読取ガラス１２の原稿搬送方向Ｅの下流側端部側に設置した場合について説明したが、図６に示すように、排熱部材３（Ｂ）を、読取ガラス１２の原稿搬送方向Ｅの下流側端部に接触した状態で設置することもできる。
【００５８】
図６に示す排熱部材３Ｂは、その上部側に読取ガラス１２を通過するように搬送される原稿２をそのガラス表面１２ａに案内する傾斜面からなる原稿案内面３Ｂａを有しているとともに、その原稿案内面３Ｂａ以外の側面部３Ｂｃに形成した排気口４と筐体１０の内部に露出する底面部３Ｂｄに形成した取入れ口５とを連通する通気路６が形成されたものである。特に、この通気路６は、屈折するように曲がった通路形状で形成されており、その一部には読取ガラス１２の表面とほぼ平行する方向に延びる通路部位６ｃを有する形態にしている。この他にも、通気路６は、その途上において下方に陥没した部位（塵埃等を溜めるための部位）を有する形態にすることも可能である。
【００５９】
このような排熱部材３Ｂを設置した場合においても、原稿移動読取モードによる読み取り時において、ランプ２１等から発せられる熱が通気路６を通して筐体１０の外部に排出されるようになり、その読み取り時における筐体１０の内部や読取ガラス１２の温度上昇を抑制することができるようになる。また、この排熱部材３Ｂにおいても、その排気口４からの塵埃や紙粉等の浸入しにくく、たとえ浸入しても平行方向に延びる通路部位６ｃに溜まるようになるため、塵埃や紙粉等の筐体１０の内部への侵入が抑制される。なお、この排熱部材３Ｂを設置した場合においては、排熱効果や効率を向上させる等の観点から、ガイド板１３についても前記したように排熱部材３として構成するようにしてもよい。
【００６０】
［実施の形態２］
図７及び図８は、本発明の実施形態２に係る画像読取装置の要部を示すものである。この実施形態２に係る画像読取装置では、排熱部材３として取入れ口５に放熱性部材８を設けたもの（排熱部材３０）を適用した以外は実施形態１に係る画像読取装置１と同じ構成からなるものである。このため、図７等においては実施形態１に係る画像形成装置１と共通する部分には同じ符号を付し、以下では必要な場合を除けばその説明を省略している。
【００６１】
この排熱部材３０における放熱性部材８は、ヒートシンク、放熱シート等であり、取入れ口５を塞ぐ状態で取り付けられている。この例では、放熱性部材８の全体を取入れ口５に嵌め込むような状態で取り付けている。このような放熱性部材８を設けることに伴って塵埃等の筐体１０の内部への侵入が確実に防止されるようになるため、排熱部材３０における通気路６についてはその通路（開口）面積を広めに形成したり、あるいは、その排気口４の開口面積を広めに形成するようにしてもよい。
【００６２】
この実施の形態２に係る画像読取装置によれば、実施の形態１に係る画像読取装置の場合とほぼ同様に、その原稿移動読取モードによる読み取り時における筐体１０の内部や読取ガラス１２の温度上昇を抑制することができ、そのときの読取画像の品質が低下することを防止した良好な読取を行うことができる。
【００６３】
特に実施の形態２における排熱部材３０の場合には、原稿移動読取モードによる読み取り時にランプ２１等から発せられる熱が、取入れ口５に存在する放熱性部材８の熱伝導により通気路６側に移動させられ、その通気路６を通して排気口４から筐体１０の外部に排出される。また、仮に塵埃や紙粉が排気口４から通気路６内に浸入した場合であっても、取入れ口５を塞ぐ状態で存在する放熱性部材８より捕獲されて筐体１０の内部側に入ってしまうことが防止される。
【００６４】
＜実施の形態２の変形例＞
排熱部材３０においては、図９に例示するように、放熱性部材８を覆う通気性の覆い部材９を設けることができる。図９に示す覆い部材９は、放熱部材３０としてのガイド板１３の通気路６の途上位置にその通気路６内に張り出すように一体的に形成した小径の通気孔９ａを有する突片部１３ｅで構成されている。
【００６５】
このような覆い部材９を設けた場合には、画像読取装置の利用者が指などを排気口４や通気路６を差し入れることができる状態にあるときに、高温状態になっている放熱性部材８に誤って直接触れてしまう危険性が覆い部材９の存在によって回避される。
【００６６】
覆い部材９については、図１０に例示するように、放熱性部材８の下面部（筐体１０の内部側に露出する部位）を除く部位をその外側から覆うことができ且つ取入れ口５から通気路６に嵌め入れることができる寸法形状からなる専用の覆い部材９Ｂを適用してもよい。このような覆い部材９Ｂは、その通気路６に面する部位には小径の孔９ａを設けて通気性を確保するようにし、また、ポリイミド等の材料にて形成することができる。また、この排熱部材３０においては、排気口４から浸入する塵埃等を通気路６の途中で捕獲する等の観点から、図１０に例示するように、通気路６の排気口４に近い側の部位に上方に突出するような隆起部６ｄを形成してもよい。
【００６７】
また、排熱部材３０においては、図１１に示すように、その通気路６と読取ガラス１２との間に断熱用の空間３５を形成するとよい。
【００６８】
図１１に示す断熱用の空間３５は、その排熱部材３０としてのガイド板１３の通気路６と読取ガラス１２の間に存在する部位１３ｇを中空構造とすることにより形成されており、しかも、ガイド板１３及び読取ガラス１２の長手方向全域に亘って形成されている。この中空構造は、密閉（外部と完全に閉鎖）された状態で形成されている。また、この例示する空間３５は、通気路６と読取ガラス１２との間に位置する部位に加えて、ガイド板の原稿案内面１３ａに沿った部位にも連続した状態で形成している。このような断熱用の空間３５を形成した場合には、原稿移動読取モードによる読み取り時にランプ２１等から発せられる熱が放熱性部材８に伝えられた後にその放熱性部材８から放出される熱がその断熱用の空間３５により遮断されて読取ガラス１２側に伝わることが抑制されるため、読取ガラス１２の温度上昇が防止される。
【００６９】
断熱用の空間３５については、図１２に示すように、通気路６と読取ガラス１２との間に二重にするための第２の断熱用空間３６を追加して形成してもよい。図１２に示す第２の断熱用空間３６は、ガイド板１３の上記部位１３ｇのうち読取ガラス１２寄りの位置に空間３５から独立した別の空間として形成されている。このような第２の断熱用空間３６を設けることにより、断熱用の空間が２重（２層）構造になるためより強い断熱効果が得られるようになり、通気路６側の熱の読取ガラス１２側に伝わることがより確実に防止される。また、この第２の断熱用空間３６を設けた場合には、空間３５のうち筐体１０の内部と対向する側を遮断するガイド板の部位１３ｈを開放した（取り除いた）形態にしても構わない。この場合には、その部位１３ｈを通した熱の伝導をなくすことができる。
【００７０】
上記第２の断熱用空間３６については、図１３に示すように、読取ガラス１２の端部側面とほぼ同じ断面積を有する断熱用空間３６Ｂとして形成することができる。このような断面積を有する第２の断熱性空間３６Ｂは、ガイド板１３の部位１３ｇのうち読取ガラス１２と接合される部分１３ｊをそのガラス端部の表裏面部分を挟む形状とすることにより形成される。図中の符号１３ｋは、ガイド板の上記挟む形状の部位１３ｊの読取ガラス１２の端部を係止してそのガラスの差込量を規制するストッパであり、このストッパは読取ガラス１２の長手方向の数箇所に間隔をあけて突出形成されている。このような断熱用空間３６Ｂを形成した場合は、ガイド板１３の読取ガラス１２と接触する面積が極めて少なくなるため、その分読取ガラス１２側に伝導する熱の遮断（断熱）効果が高められる。また、このような第２の断熱用空間３６Ｂを設けた際には、通気路６寄りの前記断熱性空間３５の筐体１０内部と対向する部分を開口した構成としても構わない。
【００７１】
この他、図１４に示すように、上記第１のキャリッジ２０にランプ２１等から発せられる熱を放熱するための放熱板８０を取り付ける場合には、その放熱板８０は、第１のキャリッジ２０が原稿移動読取モードによる読み取り時に原稿移動読取位置Ｐ１（図１）に停止固定される際に排熱部材３０としてのガイド板１３の取入れ口４にある放熱性部材８の下方真下となる位置に存在するように配置するとよい。放熱板８０はヒートシンク等で構成することができる。図１４中の符号２０ａはキャリッジフレームの一部、２３はランプ２１からの光を読取ガラス１２側にむけて反射する照明補助用反射ミラーである。このように構成した場合は、原稿移動読取モードによる読み取り時において、第１のキャリッジ２０上の放熱板８０から放出される熱が、その上方に位置に存在するガイド板１３の放熱性部材８に到達しやすくなり、これにより、その熱が放熱性部材８に効率よく受け止められた後、通気路６を通して筐体１０の外部に排出されるようになる。これによっても、筐体１０の内部等の温度上昇の抑制効果が高められる。
【００７２】
また、断熱性空間３５（３６）を設けた排熱部材３０については、断熱性効果を高める等の観点から、その空間内に断熱材を充填するようにしてもよい。また、その空間３５を設ける代わりに、ガイド板の通気路６と読取ガラス１２との間の部位１３ｇを断熱性に優れた部材で形成するように構成してもよい。
【００７３】
さらに、放熱性部材８を設けた排熱部材３０は、実施の形態１の変形例（図６）の場合と同様に、読取ガラス１２の原稿搬送方向Ｅの下流側端部に接触又は近接した状態で設置することもできる。
【００７４】
［他の実施の形態］
実施の形態１，２においては、原稿固定読取モードがなく、原稿移動読取モードのみを備えた画像読取装置として構成することも可能である。この場合は、プラテンガラス１１やキャリッジ２０，２５などが不要になる。
【図面の簡単な説明】
【００７５】
【図１】実施の形態１に係る画像読取装置等を示す説明図である。
【図２】図１の装置における排熱部材としてのガイド板の構成を示す概略断面図である。
【図３】図２の排熱部材としてのガイド板とその周辺部を示す概略平面図である。
【図４】図２のガイド板を示す概略斜視図である。
【図５】実施の形態１に係る放熱部材の変形例を示す概略断面図である。
【図６】実施の形態１に係る放熱部材の他の変形例を示す概略断面図である。
【図７】実施の形態２に係る画像読取装置の要部（放熱性部材を設けた排熱部材としてのガイド板）を示す概略断面図である。
【図８】図７のガイド板を示す概略斜視図である。
【図９】実施の形態２に係る放熱部材の変形例を示す概略断面図である。
【図１０】実施の形態２に係る放熱部材の他の変形例を示す概略断面図である。
【図１１】実施の形態２に係る放熱部材の他の変形例を示す概略断面図である。
【図１２】実施の形態２に係る放熱部材の他の変形例を示す概略断面図である。
【図１３】実施の形態２に係る放熱部材の他の変形例を示す概略断面図である。
【図１４】実施の形態２に係る放熱部材と第１キャリッジに設けた放熱板との位置関係の構成例を示す概略断面図である。
【符号の説明】
【００７６】
１…画像読取装置、２…原稿、３，３Ｂ，３０…排熱部材、４…排気口（第１開口部）、５…取入れ口（第２開口部）、６…通気路、６ａ…曲がった通路部位（下降した後に上昇するように曲がった部位）、７…防塵用のフィルター、８…放熱性部材、９…覆い部材、１０…筐体、１２…読取ガラス、１２ａ…表面、１３…ガイド板（排熱部材）、１３Ａ…筐体の外部に露出する部位、１３ａ…原稿案内面（原稿と対向する面部）、１３ｃ…側面部（原稿と対向する面部以外の面部）、２０…第１のキャリッジ（走行体）、２１…ランプ（光源）、３０…読取ユニット（受光装置）、８０…放熱板（放熱性部材）。
【図１】
2007295467.tif 000003
【図２】
2007295467.tif 000004
【図３】
2007295467.tif 000005
【図４】
2007295467.tif 000006
【図５】
2007295467.tif 000007
【図６】
2007295467.tif 000008
【図７】
2007295467.tif 000009
【図８】
2007295467.tif 000010
【図９】
2007295467.tif 000011
【図１０】
2007295467.tif 000012
【図１１】
2007295467.tif 000013
【図１２】
2007295467.tif 000014
【図１３】
2007295467.tif 000015
【図１４】
2007295467.tif 000016